(57)【要約】【課題】通信ユニットを仮保持するのに好適な仮保持具を提供する。【解決手段】仮保持具１０は、円盤状のリール体１、紐体２、及び、吸盤３を備える。リール体１は、板状部材を挟持できるクリップ１ｃを一方の面に有する。紐体２は、リール体１の内部に巻回でき、又は、リール体１から引き出しできる。吸盤３は、紐体２の端部に係留している。吸盤３は、箱状の物品の面に吸着できる。クリップ１ｃを用いて、リール体１を周壁９５ｆの右側面に固定し、通信ユニット９２の面に吸盤３を吸着することで、仮保持具１０は、ケース９５の片側に、通信ユニット９２を吊り下げて仮保持できる。【選択図】図１
2020023998.tif 000002
【特許請求の範囲】
【請求項１】
箱状の物品を吊り下げて仮保持する吸盤付き仮保持具であって、
板状部材を挟持できるクリップを一方の面に有する円盤状のリール体と、
前記リール体の内部に巻回でき、又は、前記リール体から引き出し自在な紐体と、
前記紐体の端部に係留し、箱状の前記物品の面に吸着自在な吸盤と、を備えている、吸盤付き仮保持具。
【請求項２】
前記紐体は、前記リール体の外周から所定の長さで引き出しできると共に、前記リール体の内部に収容したばね部材で巻き込みできる、請求項１記載の吸盤付き仮保持具。
【請求項３】
前記紐体の端部に係留した留め具と、
前記留め具と前記吸盤を着脱自在に係留するナス環と、を更に備えている、請求項１又は２記載の吸盤付き仮保持具。
【発明の詳細な説明】
【技術分野】
【０００１】
本発明は、吸盤付き仮保持具に関する。特に、スマートメータなどの取替時において、箱状の通信ユニットを仮保持するのに好適な吸盤付き仮保持具の構造に関する。
【背景技術】
【０００２】
近年、電気事業法などの改正により、電力又はガスなどに小売業への参入が自由化されることになった。このため、電力又はガスなどの供給を受ける場合には、単一の供給事業者による多様な供給契約メニューに対応することになった。又は、複数の供給事業者による計量に対応することになった。そして、電力、ガス、又は水道などの供給を受ける需要家宅に設置されていた従来の計量メータは、供給事業者と通信可能なスマートメータに取り替えられている。
【０００３】
図３は、一例によるスマートメータの構成を示す斜視分解組立図である。図４は、一例によるスマートメータの構成を示す斜視図であり、本体部を下方から見た状態図である。図５は、一例によるスマートメータの構成を示す斜視図であり、本体部から端子蓋を取り外した状態図である。図６は、一例によるスマートメータの構成を示す右側面図である。
【０００４】
図３から図６を参照すると、一例によるスマートメータ９は、電力の使用量を計量する電力量計を示している。スマートメータ９は、計量ユニット９１、箱状の通信ユニット９２、及び、端子蓋９３を備えている。
【０００５】
図３から図６を参照すると、計量ユニット９１は、需要家宅における電力使用量を計量できる。計量ユニット９１は、計器本体部９１１と表示部９１２を備えている。又、計量ユニット９１は、端子部９１３、一対のねじ孔９１ｓ・９１ｓ、及び、係止部９１４を備えている。
【０００６】
図３から図６を参照すると、計器本体部９１１は、計量ユニット９１の上部に配置されている。計器本体部９１１は、電力使用量を計量する各種装置を筐体の内部に配置している。表示部９１２は、計器本体部９１１の前面に配置されている。表示部９１２は、計量ユニット９１で計量した電力使用量を表示している。表示部９１２は、例えば、液晶モニタで構成している。
【０００７】
図３から図６を参照すると、端子部９１３は、計器本体部９１１の下部に配置されている。端子部９１３には、需要家宅からの電力線を接続できる複数のねじ端子を配列している。一対のねじ孔９１ｓ・９１ｓは、端子部９１３の両翼に配置している。
【０００８】
図３又は図５を参照して、一組のねじ部材９３ｓ・９３ｓを用いて、ねじ孔９１ｓに螺合することで、端子蓋９３を計量ユニット９１に固定できる。そして、通信ユニット９２を介して、端子部９１３を覆うことができる。
【０００９】
図３又は図４を参照して、係止部９１４は、Ｃ形チャンネル部材からなり、計器本体部９１１の底面に形成されている。係止部９１４は、計器本体部９１１の底面で区画された方形の係止孔９１ｈを開口している（図４参照）。一方、図３を参照すると、通信ユニット９２は、係止孔９１ｈに嵌合できる凸状の被係止部９２ｔを背面に形成している。
【００１０】
図３を参照して、通信ユニット９２は、例えば、電力会社などの供給事業者と通信を実施する通信インタフェース装置である。通信ユニット９２は、計量ユニット９１に着脱自在に固定されている。通信ユニット９２は、係止部９１４の係止孔９１ｈ（図４参照）に挿入可能な凸状の被係止部９２ｔを背面に形成している。
【００１１】
図３から図６を参照して、被係止部９２ｔを係止部９１４の係止孔９１ｈ（図４参照）に挿入すると、通信ユニット９２を端子部９１３の前面に配置できる（図５参照）。そして、端子部９１３のねじ端子と通信ユニット９２を電気的に接続できる。
【００１２】
又、図６を参照すると、計器本体部９１１と通信ユニット９２は、互いに通信可能にケーブル９２ｃで接続されている。通信ユニット９２を計量ユニット９１から取り外すと、通信ユニット９２は、ケーブル９２ｃで吊り下げられた状態に至る。
【００１３】
図３から図６を参照して、スマートメータ９を取り替える場合には、スマートメータ９を取り付け後に、ねじ端子の締め付け確認、及び、模擬負荷装置を使った動作確認などの計器点検が必要である。このため、図６に示した状態から通信ユニット９２を計量ユニット９１から取り外し、粘着テープなどで計量ユニット９１に巻き付けて仮留めしている。
【００１４】
しかし、粘着テープの粘着力は弱いので、点検作業中に通信ユニット９２が仮留めした状態から解除することがあった。このため、通信ユニット９２が端子部９１３の前方に配置され、点検作業の邪魔になることがあった。又、これにより、通信ユニット９２を充電中のねじ端子に接触させて短絡させる心配があった。
【００１５】
従来のスマートメータは、上記のような不具合があったので、計器本体部の外周に着脱自在に取り付けできるバンド部材と、計器本体部の前面又は側面の任意の位置に着脱でき、通信ユニットに設けた凸状の被係止部を挿脱自在なＣ形チャンネル状の被係止部材で構成した、通信ユニット用の仮保持具が開示されている（例えば、特許文献１参照）。
【先行技術文献】
【特許文献】
【００１６】
【特許文献１】特開２０１８−１１２４１８号公報
【発明の概要】
【発明が解決しようとする課題】
【００１７】
しかし、図３又図５及び図６を参照すると、スマートメータ９の多くは、前面を開口した箱状のケース９５に収容され、かつ、固定されている。ケース９５は、周壁９５ｆを外周に形成している。ケース９５は、需要家宅の壁面などに固定されている。又、図６を参照すると、スマートメータ９は、ケース９５と係脱自在なケースカバー９５ｃで覆われている。
【００１８】
なお、本願の図３から図６は、特許文献１の図７から図９に相当している。又、特許文献１には、ケース９５及びケースカバー９５ｃに相当するものを開示していないが、実態の多くは、ケース９５及びケースカバー９５ｃに相当するものを備えている。
【００１９】
図３又図５及び図６を参照すると、特許文献１による通信ユニット用の仮保持具は、バンド部材を計器本体部９１１の外周に着脱するので、スマートメータ９をケース９５から取り外す、又は、スマートメータ９をケース９５に再び取り付ける必要があるので、作業性が良いないという問題がある。
【００２０】
スマートメータをケースに固定した状態で、通信ユニットを仮保持するのに好適な、作業性に優れた通信ユニット用の仮保持具が求められている。そして、以上のことが本発明の課題といってよい。
【００２１】
本発明は、このような課題に鑑みてなされたものであり、通信ユニットを仮保持するのに好適な、作業性に優れた通信ユニット用の仮保持具を提供することを目的とする。
【課題を解決するための手段】
【００２２】
本発明者らは、ケースの周壁などの板状部材に係脱自在なクリップを一方の面に有し、紐体を巻回自在、又は引き出し自在な円盤状のリール体と、紐体の端部に係留し、箱状の通信ユニットなどの一方の面に吸着自在な吸盤で通信ユニット用の仮保持具を構成することで、作業性良く通信ユニットを仮保持できると考え、これに基づいて、以下のような新たな吸盤付き仮保持具を発明するに至った。
【００２３】
（１）本発明による吸盤付き仮保持具は、箱状の物品を吊り下げて仮保持する吸盤付き仮保持具であって、板状部材を挟持できるクリップを一方の面に有する円盤状のリール体と、前記リール体の内部に巻回でき、又は、前記リール体から引き出し自在な紐体と、前記紐体の端部に係留し、箱状の前記物品の面に吸着自在な吸盤と、を備えている。
【００２４】
（２）前記紐体は、前記リール体の外周から所定の長さで引き出しできると共に、前記リール体の内部に収容したばね部材で巻き込みできることが好ましい。
【００２５】
（３）本発明による吸盤付き仮保持具は、前記紐体の端部に係留した留め具と、前記留め具と前記吸盤を着脱自在に係留するナス環と、を更に備えていることが好ましい。
【発明の効果】
【００２６】
本発明による吸盤付き仮保持具は、クリップを一方の面に有する円盤状のリール体、リール体から引き出し自在な紐体、及び、紐体の端部に係留した吸盤を備えているので、クリップでケースを係止し、通信ユニットの一方の面に吸盤を吸着することで、通信ユニットを容易に仮保持できる。
【図面の簡単な説明】
【００２７】
【図１】本発明の一実施形態による吸盤付き仮保持具の構成を示す斜視図であり、図１（Ａ）は、吸盤付き仮保持具をオモテ面から観た状態図、図１（Ｂ）は、吸盤付き仮保持具をウラ面から観た状態図である。
【図２】前記実施形態による吸盤付き仮保持具を通信ユニットの仮保持に適用した例を示す斜視図である。
【図３】一例によるスマートメータの構成を示す斜視分解組立図である。
【図４】一例によるスマートメータの構成を示す斜視図であり、本体部を下方から見た状態図である。
【図５】一例によるスマートメータの構成を示す斜視図であり、本体部から端子蓋を取り外した状態図である。
【図６】一例によるスマートメータの構成を示す右側面図である。
【発明を実施するための形態】
【００２８】
以下、図面を参照して本発明を実施するための形態を説明する。
［吸盤付き仮保持具の構成］
最初に、本発明の一実施形態による吸盤付き仮保持具の構成を説明する。
【００２９】
なお、従来技術で使用した符号と同じ符号を有する構成品は、その作用を同一にするので、以下の説明では割愛することがある。
【００３０】
図１を参照すると、本発明の一実施形態による吸盤付き仮保持具（以下、仮保持具と略称する）１０は、円盤状のリール体１、紐体２、及び、吸盤３を備えている。仮保持具１０は、通信ユニット９２などの箱状の物品を吊り下げて仮保持できる（図２参照）。
【００３１】
図１（Ｂ）を参照すると、リール体１は、帯状の板バネからなるクリップ１ｃを裏面Ｒｆに固定している。板バネからなるクリップ１ｃに替えて、ワニ口クリップをリール体１の裏面Ｒｆに固定してもよい。例えば、クリップ１ｃを利用して、スマートメータ９を固定したケース９５の周壁９５ｆを挟持することで、リール体１をケース９５に係止できる。
【００３２】
図１（Ａ）を参照すると、リール体１は、面ファスナー１ｆを表面Ｓｆに設けている。一組の仮保持具１０・１０を用意し、一方の面ファスナー１ｆを雌ファスナーで構成し、他方の面ファスナー１ｆを雄ファスナーで構成し、雌ファスナーと雄ファスナーを結合することで、一組の吸盤３・３で物品を吸着することもできる。
【００３３】
図１を参照して、例えば、リール体１は、図示しない巻取ドラムと図示しないばね部材である「ぜんまいばね」を内部に収容している。図示しない巻取ドラムには、紐体２の一端部が係留されている。図示しない「ぜんまいばね」は、巻取ドラムが紐体２を巻き取る方向に力を付勢している。
【００３４】
図１を参照して、リール体１は、紐体２の一端部が係留された巻取ドラムと巻取ドラムが紐体２を巻き取る方向に力を付勢する「ぜんまいばね」を内部に備えているので、「ぜんまいばね」の付勢力に抗して、紐体２の他端部を引っ張ることで、リール体１の外周から所定の長さで紐体２を引き出しできる。一方、紐体２の他端部を解放することで、紐体２をリール体１の内部に巻き込むことができる。なお、図１（Ａ）は、紐体２が最も引き出された状態を示し、図１（Ｂ）は、紐体２が巻き込まれる直前の状態を示している。
【００３５】
図１を参照すると、吸盤３は、弾性変形できる合成樹脂又はゴム体からなり、偏平腕状の吸着部３１と円柱状のプッシュボタン部３２を一体で構成している。プッシュボタン部３２は、吸着部３１の中央部に立設している。吸着部３１を通信ユニット９２などの箱状の物品の面に当接し、プッシュボタン部３２を物品の面に向って押下することで、物品の面と吸着部３１の底部の空気が排出され、吸盤３は、通信ユニット９２などの箱状の物品を吸着できる。
【００３６】
図１を参照すると、仮保持具１０は、円柱状の留め具４とナス環５を更に備えている。紐体２の他端部は、留め具４の一端部に係留されている。ナス環５の一端部は、留め具４の他端部に係脱自在に係留されている。ナス環５の他端部は、吸盤３のプッシュボタン部３２に係脱自在に係留されている。図１に示した状態では、紐体２の他端部は、留め具４とナス環５を介して、吸盤３を吊下げている。
【００３７】
［吸盤付き仮保持具の作用］
次に、実施形態による仮保持具１０の適用例を説明しながら、仮保持具１０の作用及び効果を説明する。
【００３８】
最初に、図２を参照して、クリップ１ｃを用いて、ケース９５の周壁９５ｆの右側面を挟持し、リール体１を周壁９５ｆの右側面に固定しておく。次に、通信ユニット９２を計量ユニット９１から取り外し、通信ユニット９２をケース９５の右側に移動する。次に、通信ユニット９２の面に吸盤３を吸着することで、仮保持具１０は、ケース９５の右側に、通信ユニット９２を吊り下げて仮保持できる。仮保持具１０は、通信ユニット９２をケース９５の左側に仮保持することもできる。
【００３９】
図２に示した状態では、通信ユニット９２に邪魔されることなく、端子部９１３を点検できる。具体的には、一方の片手で測定器を持ち、他方の片手でワニ口クリップＣを操作、端子部９１３のねじ端子に接続できる。
【００４０】
図１又は図２を参照すると、実施形態による仮保持具１０は、クリップ１ｃを一方の面に有する円盤状のリール体１、リール体１から引き出し自在な紐体２、及び、紐体２の端部に係留した吸盤３を備えているので、クリップ１ｃでケース９５を係止し、通信ユニット９２の一方の面に吸盤３を吸着することで、通信ユニット９２を容易に仮保持できる。
【００４１】
本発明による吸盤付き仮保持具は、次のような効果が期待される。
（１）スマートメータを点検するときに、粘着テープを使用することなく、通信ユニットを仮保持できる。
（２）通信ユニットを確実に仮保持できるので、安全な点検作業を実施できる。
（３）通信ユニットを充電中のねじ端子に接触させて短絡させる心配が無くなる。
【００４２】
本発明による吸盤付き仮保持具は、スマートメータなどの取替工事に好適な例を開示したが、本発明による吸盤付き仮保持具は、通信ユニットに限定されることなく、平面を形成する物品を吸着して吊り下げることができる。
【符号の説明】
【００４３】
１  リール体
１ｃ  クリップ
２  紐体
３  吸盤
４  留め具
５  ナス環
１０  仮保持具（吸盤付き仮保持具）
【図１】
2020023998.tif 000003
【図２】
2020023998.tif 000004
【図３】
2020023998.tif 000005
【図４】
2020023998.tif 000006
【図５】
2020023998.tif 000007
【図６】
2020023998.tif 000008